(57)【要約】【課題】  遊技に関する遊技情報、或いは、遊技において発生する遊技情報等を遊技客に対してわかりやすくアピールすると共に、遊技情報を把握しやすく、且つ、視認しやすい遊技情報表示装置を提供する。【解決手段】  遊技情報表示装置は、複数の照明部を備えた表示装置本体と、表示装置本体を取付固定する装置固定ベースと、からなり、装置固定ベースは、固定ベースに対して回転可動可能とする回転ベースと、表示装置本体が取付固定され、且つ、回転ベースに対して前後方向に可動可能とするスライドベースと、から構成され、回転ベース、及びスライドベースを任意の位置に可動することで、複数の遊技用椅子に夫々設けた表示装置本体の設置位置を、遊技島の演出状況に合わせて個々に可変可能とする。【選択図】      図５
2012075494.tif 000002
【特許請求の範囲】
【請求項１】
遊技島に複数配設された遊技台と対座可能に備えた遊技用椅子の脚部近傍に設け、遊技に関する遊技情報、或いは、遊技において発生する遊技情報等を照明部の発光、点滅により表示を行う遊技情報表示装置において、
前記遊技情報表示装置は、
複数の照明部を備えた表示装置本体と、
前記遊技用椅子の脚部近傍に前記表示装置本体を取付固定する装置固定ベースと、からなり、
前記装置固定ベースは、
前記遊技用椅子を基準とし、前記遊技用椅子の脚部近傍の床面に固定設置する固定ベースと、
前記固定ベースに対して回転可動可能とする回転ベースと、
前記表示装置本体が取付固定され、且つ、前記回転ベースに対して前後方向に可動可能とするスライドベースと、から構成され、
前記回転ベース、及び前記スライドベースを任意の位置に可動することで、
複数の遊技用椅子に夫々設けた前記表示装置本体の設置位置を、遊技島の演出状況に合わせて個々に可変可能とすることを特徴とする遊技情報表示装置。
【請求項２】
前記回転ベース、及び前記スライドベースの可動範囲を段階的に調整可能とすることを特徴とする請求項１記載の遊技情報表示装置。
【発明の詳細な説明】
【技術分野】
【０００１】
本発明は、遊技島に複数配設された遊技台と対座可能に備えた遊技用椅子の脚部近傍に設け、遊技に関する遊技情報、或いは、遊技において発生する遊技情報等を照明部の発光、点滅により表示を行う遊技情報表示装置に関する。
【背景技術】
【０００２】
従来、遊技台において遊技客が獲得したパチンコ玉（遊技媒体）は、玉箱などの収納ケースに収納され、このケースを玉計数装置又は景品交換所まで運んだ後、獲得した遊技媒体を計数することが行われている。
【０００３】
また、昨今の遊技店には、遊技客が獲得したパチンコ玉を遊技機に隣設された玉貸機の内部を通過させ、遊技機の背面側の遊技島内へと移送して回収するとともに、パチンコ玉を移送する過程でその個数を計数し、計数された個数をカード等の媒体に記憶させて該媒体を遊技客に提供し、遊技客は提供された媒体を景品交換所に持ち込んで所望の景品と交換するというシステムが提案されている。（例えば、特許文献１参照）。
【０００４】
上記システムを構成する特許文献１記載の遊技機用玉計数装置は、遊技機の下皿の下方に配設された玉受皿と、玉貸機の内部に形成された計数通路と、該計数通路と前記玉受皿とを連結する連結通路と、前記計数通路に設けられた計数センサによって構成されている。
【０００５】
上述のように構成された遊技機用玉計数装置においては、遊技機の下皿から落下するパチンコ玉は玉受皿で受けられ、この受けられたパチンコ玉は、連結通路及び計数通路を移送された遊技機の背面側の遊技島内へと回収されるとともに、計数通路を移送される過程でその個数が計数センサによって計数される。
【０００６】
上記システムにおいては、パチンコ玉が収容された複数のケースを遊技客の足下周辺に積み上げたり、パチンコ玉が収容されたケースを玉計数装置或いは景品交換所まで運ぶ必要がないので、遊技店店員の作業を軽減することができるが、その反面、遊技店としてはパチンコ玉が収容された複数のケースを積むことによる演出ができず、また、遊技客としては獲得したパチンコ玉で埋まったケースを積み上げて他の遊技客に対し誇示することができず、結果、稼働率が低下する事態も発生していた。そこで、前記システムを導入した店舗では、遊技客が獲得したパチンコ玉の数量に応じて、どの程度のパチンコ玉が出ているのかを知らしめる出玉感を演出するための様々な工夫がなされていた。
【０００７】
そこで、遊技台（遊技機）に対座可能な遊技用椅子に設けられ、前記遊技台で遊技可能なパチンコ玉（遊技媒体）の数量データに基づいて遊技台の遊技媒体数、及び様々な情報表示を行うようにした遊技媒体数表示装置（遊技情報表示装置）が特許文献２にて開示されている。前記遊技媒体数表示装置により遊技機から遠く離れた位置からでも、遊技客以外の人が遊技媒体数を知ることができる。
【先行技術文献】
【特許文献】
【０００８】
【特許文献１】特開２００９−０４５２０３
【特許文献２】特開２００４−１６６７４３
【発明の概要】
【発明が解決しようとする課題】
【０００９】
しかしながら、前述する遊技媒体数表示装置は、遊技島に横方向直線的に配された複数の遊技台に対向する遊技用椅子に夫々設けられ、横方向で同一直線状に配設された夫々の遊技媒体数表示装置は、遊技店の営業中において、遊技台の大当り、エラー、獲得したパチンコ玉の数量データに基づく出玉数量、等の遊技において発生する遊技情報や、遊技店内のお勧め台といったイベント台情報、空席情報、等の遊技に関する遊技情報などを、一斉に発光、点滅等、様々な表示を行うため、遊技客、及び遊技店店員、等が遊技島側を見る位置（例えば遊技島端、通路側など）によっては、隣り合う遊技媒体数表示装置同士が重なってしまい、どの位置の遊技台の情報を表示しているかが把握しにくく、遊技台の状態を視認することが難しかった。
【００１０】
本発明は上記問題を鑑みて、遊技に関する遊技情報、或いは、遊技において発生する遊技情報等を遊技店内にいる遊技客に対してわかりやすくアピールすると共に、遊技客、及び遊技店店員、等にとっては遊技情報を把握しやすく、且つ、視認しやすい遊技情報表示装置を提供することを目的とする。
【課題を解決するための手段】
【００１１】
上記の問題を解決するために、本発明の請求項１は、遊技島に複数配設された遊技台と対座可能に備えた遊技用椅子の脚部近傍に設け、遊技に関する遊技情報、或いは、遊技において発生する遊技情報等を照明部の発光、点滅により表示を行う遊技情報表示装置において、遊技情報表示装置は、複数の照明部を備えた表示装置本体と、遊技用椅子の脚部近傍に表示装置本体を取付固定する装置固定ベースと、からなり、装置固定ベースは、遊技用椅子を基準とし、遊技用椅子の脚部近傍の床面に固定設置する固定ベースと、固定ベースに対して回転可動可能とする回転ベースと、表示装置本体が取付固定され、且つ、回転ベースに対して前後方向に可動可能とするスライドベースと、から構成され、回転ベース、及びスライドベースを任意の位置に可動することで、複数の遊技用椅子に夫々設けた表示装置本体の設置位置を、遊技島の演出状況に合わせて個々に可変可能とすることを特徴とする。
【００１２】
本発明の請求項２は、請求項１記載の遊技情報表示装置において、回転ベース、及び前記スライドベースの可動範囲を段階的に調整可能とすることを特徴とする。
【発明の効果】
【００１３】
本発明によれば、装置固定ベースに取付固定する遊技情報表示装置の表示装置本体は、前記装置固定ベースを構成する回転ベースと、スライドベースと、によって、複数の遊技用椅子に夫々設けた前記表示装置本体の設置位置を、遊技島の演出状況に合わせて個々に可変可能であるため、遊技島の演出におけるレイアウトに特徴を持たせると共に、遊技情報表示装置の照明部の発光表示が、隣り合う遊技情報表示装置同士で重なること無く配置することが可能であり、遊技島の演出状況において、何れか数台の設置位置を可変させて隣り合う遊技情報表示装置と設置位置を相違させることで、遊技店内にいる遊技客に対してわかりやすくアピールすると共に、遊技客、及び遊技店店員、等にとってはどの遊技台の遊技情報であるかを把握しやすく、遊技台の状態が視認しやすい。
【００１４】
また、回転ベース、及びスライドベースは、回転方向、及び前後方向への可動範囲を段階的に調整可能であるため、可動させる範囲が明確となることで、一の遊技島の演出状況において、可変させた遊技情報表示装置の設置位置を、他の遊技島においても同様のレイアウトで演出構成が容易に行え、遊技店内で統一感のある演出を行うことが可能となる。
【図面の簡単な説明】
【００１５】
【図１】遊技情報表示装置を備えた遊技島を示す外観斜視図である。
【図２】遊技島に設置された遊技台と、該遊技台の周辺機器を示す正面図である。
【図３】遊技情報表示装置を示す図であり、（ａ）は外観斜視図、（ｂ）は正面図である。
【図４】遊技情報表示装置の表示例を示す図である。
【図５】遊技情報表示装置の構成を示す図である。
【図６】装置固定ベースの構成を示す図である。
【図７】装置固定ベースの回転動作を示す図であり、（ａ）は回転動作前の装置固定ベースを示す図であり、（ｂ）は回転動作後を示す図であり、（ｃ）は装置固定ベースの部分拡大図を示す図である。
【図８】装置固定ベースのスライド動作を示す図であり、（ａ）はスライド動作前の装置固定ベースを示す図であり、（ｂ）はスライド動作後を示す図であり、（ｃ）、（ｄ）は装置固定ベースの部分拡大図を示す図である。
【発明を実施するための形態】
【００１６】
以下、本発明の実施例について図面を参照しながら説明する。
【００１７】
図１は遊技情報表示装置１３を備えた遊技島１を示す外観斜視図であり、図２は遊技島１に設置された遊技台３と、該遊技台３の周辺機器を示す正面図である。
遊技店に設置された遊技島１には、横方向直線的に複数の遊技台３が配設されており、夫々の遊技台３前方側には、遊技客が各遊技台３に対座可能に遊技用椅子５が配設されている。また、図１、図２に示すように、夫々の遊技台３には、遊技客が紙幣を挿入することでパチンコ玉（遊技媒体）を払い出す玉貸機７が隣設している。
【００１８】
前記玉貸機７の前面上部には縦方向に長いスリット状の紙幣挿入口７ａが形成され、高さ方向中間部には水平方向に回動可能な玉払出ノズル７ｂが設けられている。又、玉貸機７の玉払出ノズル７ｂの下方の前面下部には表示部７ｃが設けられている。遊技台３の前面には、前記玉貸機７に設けられた玉払出ノズル７ｂからパチンコ玉の払い出しを受ける上皿３ａが突設されており、この上皿３ａの下方には下皿３ｂが配置され、その下方には前記下皿３ｂから落下するパチンコ玉を受ける玉受皿９ａが配置されている。
【００１９】
上記玉受皿９ａは、玉貸機７に一体的に備えられた出玉計数装置９の一部を構成するものであって、出玉計数装置９は、玉受皿９ａの他、前記玉貸機７の内部に形成された不図示の計数通路と、該計数通路と玉受皿９ａとを連結する連結通路９ｂと、計数通路の途中に設けられた不図示の計数センサによって構成されている。尚、連結通路９ｂは玉受皿９ａから横方向に水平に延びた後、玉貸機７に向かって略直角に折り曲げられ、その端部は玉貸機７の内部に形成された計数通路に接続されている。そして、これらの連結通路９ｂと計数通路は、パチンコ玉の移送方向に沿って下がるよう傾斜している。又、前記計数センサとしては、金属製のパチンコ玉の通過を電磁気的に検知してそのパチンコ玉の個数を計数する貫通型近接スイッチ等が使用される。
【００２０】
前述する出玉計数装置９を備えた玉貸機７により、下皿３ｂから落下するパチンコ玉は、玉受皿９ａから連結通路９ｂを経て計数通路へ流れ、計数センサによって計数され遊技島１内へ排出される。計数されたパチンコ玉はその個数を玉貸機７の表示部７ｃにて表示を行うと共に、データとしてサーバへ送信される。  
【００２１】
また、遊技台３の上方近傍には、呼出ランプ１１が設置されている。前記呼出ランプ１１は、遊技客が遊技店店員を呼び出す際に使用すると共に、遊技台３と接続され、該遊技台３の大当たり、エラー、不正等の情報を視認可能に表示するとともに、該遊技台３と連動して発光、点滅するものである。さらに、図１に示すように、夫々の遊技用椅子５の背面側の脚部５ａ近傍には本発明である遊技情報表示装置１３が設置されている。
【００２２】
図３は遊技情報表示装置１３を示す図であり、（ａ）は外観斜視図、（ｂ）は正面図である。遊技情報表示装置１３は略半円筒状であり、遊技用椅子５の脚部５ａを囲むように設置されている。前記遊技情報表示装置１３は、その前面側に樹脂材にて形成された、玉箱を模した形状の照明部１３ｂを円筒状に沿って湾曲に複数（図３（ａ）、（ｂ）においては、横５個、縦５列の総計２５個）設けている。夫々の照明部１３ｂには、赤、青、黄等多色発光可能な発光ＬＥＤを設けた発光基板を内部に備え、前記発光基板は遊技情報表示装置１３の内部に設けた制御部（不図示）と接続されている。
【００２３】
遊技情報表示装置１３の内部に備えた制御部は、夫々の照明部１３ｂと接続されると共に、遊技島１に設置された遊技台３、呼出ランプ１１、及び玉貸機７と、を該遊技島１内から床下配線、もしくは、夫々の配線を遊技店の床面に敷設させて接続されており、遊技情報表示装置１３は、接続されている前述の機器から出力される信号を制御部にて受信し、予め設定を行った発光方式（例えば図４（ａ）〜（ｆ）に示す表示例）に伴い発光、点滅を行う。本実施例において、遊技島１に設置された遊技台３、呼出ランプ１１、及び玉貸機７と、を該遊技島１内から床下配線、もしくは、夫々の配線を遊技店の床面に敷設させて接続されているとしたが、遊技情報表示装置１３に受信部を設けて、無線方式にて各周辺機器からのデータを受信してもよい。
【００２４】
図４は遊技情報表示装置１３の表示例を示す図である。遊技台３からは、該遊技台３から出力される大当たり信号、不正信号、エラー信号等を制御部で受信し、該遊技台３と連動して発光、点滅を行う。呼出ランプ１１からは、遊技客が遊技店店員を呼び出す際に出力される呼出信号を制御部で受信し、該呼出ランプ１１と連動して発光、点滅を行う。遊技台３、呼出ランプ１１から信号を受信した制御部は、大当たりや不正、店員呼び出しといった夫々の事例に対して設定された発光方式に伴って発光、点滅を行う。例えば、図４（ａ）、（ｂ）の示すように、縦方向、及び斜め方向（図中矢印方向）にライン発光表示、また、図４（ｃ）、（ｄ）に示すような、遊技情報表示装置１３の全体をグラデーション発光表示、等を行う。
【００２５】
遊技情報表示装置１３の照明部１３ｂは、大当たりや不正、店員呼び出しといった夫々の事例に対して、設定された発光方式に伴って発光、点滅を行うことで、遊技客以外の人や遊技店店員に、遊技台３から遠く離れた位置からでも様々な事例内容を判りやすく簡単に知らせることができる。
【００２６】
また、玉貸機７からは、該玉貸機７に備えた出玉計数装置９にて計数されたパチンコ玉数を持玉数データとして制御部へ1玉毎出力され、前記持玉数データを受信した制御部は、接続している照明部１３ｂを予め設定された区分情報に従って発光させる。制御部は、受信した持玉数データが各区分の境界値に達しているか否かによって各照明部１３ｂの発光を制御している。例えば、持玉数の区分値を１０００玉毎に設定した場合、玉貸機７より出力された持玉数データが１０００玉達した際に、図４（ｅ）に示すように、複数設けた照明部１３ｂの１個（図中最下段左側）を発光させ、さらに１０００玉達した場合、照明部１３ｂを矢印方向の照明部１３ｂをさらに１個発光させる。図４（ｆ）においては、照明部１３ｂが８個発光しているため、８０００個以上持玉数を保持していることとなる。
【００２７】
玉貸機７より制御部へ伝達される持玉数データは、１玉毎出力し制御部で受信した持玉数データが各区分の境界値に達しているか否かによって各照明部１３ｂの発光を制御しているとしたが、例えば、玉貸機７側で持玉数が境界値に達しているか否かを判断し、区分値に達した場合に制御部に出力をしてもよい。
【００２８】
また、遊技客が計数されたパチンコ玉（持玉）を遊技に使用する際、遊技客の操作により玉貸機７からパチンコ玉を玉払出ノズルにより遊技台３の上皿３ａへ払い出されると共に、玉貸機７から持玉払出数データを制御部へ1玉毎出力する。前記持玉払出数データを受信した制御部は、接続している照明部１３ｂを予め設定された区分情報に従って消灯させる。
【００２９】
前述した持玉数データの設定のように、玉貸機７より制御部へ伝達される持玉払出数データは、１玉毎出力し制御部で受信した持玉払出数データが各区分の境界値に達しているか否かによって各照明部１３ｂの消灯を制御しているとしたが、例えば、玉貸機７側で持玉払出数が境界値に達しているか否かを判断し、区分値に達した場合に制御部に出力をしてもよい。
【００３０】
また、各遊技情報表示装置１３の制御部は、遊技店のホールコンピュータと接続して、空席情報やイベント台情報等の遊技店情報を、その事例に合わせて照明部１３ｂを発光、点滅表示してもよい。遊技情報表示装置１３にて遊技店情報を発光、点滅にて表示することで、遊技店側の情報を遊技客にわかりやすく提供することが可能となる。
【００３１】
図５は遊技情報表示装置１３の構成を示す図である。遊技情報表示装置１３は、遊技用椅子５の脚部５ａを略中心とし囲むように設置されており、該遊技情報表示装置１３は、Ｕ字形状をした半円筒状で、その円周上に沿って複数に照明部１３ｂを設けた表示装置本体１３ａと、脚部５ａの根もと近傍の床面に固定された装置固定ベース１７と、前記表示装置本体１３ａの対面側に備えた保護カバー１５と、で構成されている。
【００３２】
保護カバー１５は、半円柱形状で、表示装置本体１３ａの背面側を遊技客からの衝突などから保護するものであり、対面する表示装置本体１３ａに向かって係止爪１５ａが複数形成されている。また、表示装置本体１３ａの背面側には、係止穴１３ｃが複数（図中４箇所）開口しており、前記保護カバー１５に形成された複数の係止爪１５ａに対応して設けられている。さらに、表示装置本体１３ａの背面側下端部には、後述する係止部２３ｄが嵌り込む穴が開口した固定片１３ｄが下方向に形成されている。
【００３３】
装置固定ベース１７は、表示装置本体１３ａと同様にＵ字形状であり、その凹み部分が遊技用椅子５の脚部５ａの中心を基準として該脚部５ａを挟むように、該脚部５ａの根もと近傍の床面に冶具等を用いて固定設置する。前記装置固定ベース１７には、前記表示装置本体１３ａを取付固定するための係止部２３ｄと、表示装置本体の固定片１３ｄを前記係止部２３ｄへ導くためのガイド壁２３ｃと、表示装置本体１３ａと嵌り合う嵌合片２３ｅと、を形成している。
【００３４】
遊技情報表示装置１３は、まず、装置固定ベース１７を脚部５ａの根もと近傍の床面に固定設置する。設置した前記装置固定ベース１７に対し、表示装置本体１３ａを遊技用椅子５の背面側からスライドさせながら取付固定を行う。前記表示装置本体１３ａをスライドさせて取付固定を行う際、該表示装置本体１３ａの背面側下端部に形成された固定片１３ｄは、装置固定ベース１７に形成されたガイド壁２３ｃによって、その端部に備えた係止部２３ｄへと支持されながら導かれ、該固定片１３ｄの一部開口した穴に係止部２３ｄが係止され、装置固定ベース１７に形成された嵌合片２３ｅが表示装置本体１３ａと嵌り合うことで取付固定を行うことができる。
【００３５】
また、保護カバー１５は、装置固定ベース１７に取付固定した表示装置本体１３ａに、脚部５ａを囲むように該表示装置本体１３ａの対面側から取り付けを行う。前記表示装置本体１３ａに複数開口する係止穴１３ｃに、保護カバー１５に形成された複数の係止爪１５ａが係止されることで、該表示装置本体１３ａに該保護カバー１５を取り付けることができる。
【００３６】
図６は、装置固定ベース１７の構成を示す図である。装置固定ベース１７は、遊技用椅子５の脚部５ａ近傍に表示装置本体１３ａを取付固定するものであり、前記遊技用椅子５を基準とし、前記遊技用椅子５の脚部５ａの根もと近傍の床面に固定設置する固定ベース１９と、前記表示装置本体１３ａを前記固定ベース１９に対して回転方向に可動可能とする回転ベース２１と、前記表示装置本体１３ａが取付固定され、且つ、前記回転ベース２１に対して前後方向にスライド可動可能とするスライドベース２３と、で構成されている。
【００３７】
前述した各ベース（固定ベース１９、回転ベース２１、スライドベース２３）は、夫々が略Ｕ字形状であり、固定ベース１９を脚部５ａの根もと近傍の床面に固定設置して前記装置固定ベース１７の基準とし、該固定ベース１９にその他のベース（回転ベース２１、スライドベース２３）を夫々重ねて固着することで装置固定ベース１７を構成している。
【００３８】
固定ベース１９は、脚部５ａの根もと近傍の床面に固定設置するために、該脚部５ａの位置を基準として、冶具等用いて固定設置を行う。前記固定ベース１９は、その底面に両面テープを貼り付けて床面に貼着するか、もしくは、数箇所設けた固定穴１９ａから床面に直接ネジで固定する。また、固定ベース１９には、後述する回転ベース２１の回転調整部２１ｄに係合する、弾性バネ１９ｃによって支持された係止ピン１９ｂが設けられている。
【００３９】
回転ベース２１は、床面に固定設置した固定ベース１９に対して回転方向に可動可能とするものであり、湾曲形状に開口する複数のガイド溝２１ｃ（図中３箇所）と、複数の係止凹部２１ｅを順次配設した回転調整部２１ｄと、該回転ベース２１の左右両側に立設し、複数の円形穴が連なった状態で開口する位置調整部２１ｆと、で構成されている。
【００４０】
図６に示すように、回転ベース２１は、床面に固定設置された固定ベース１９の上方から重ねるように、回転ガイドネジ２１ａ、及び回転固定ネジ２１ｂにて複数のガイド溝２１ｃを介して夫々挿通し、前記固定ベース１９に取り付ける。回転ベース２１は、ガイド溝２１ｃを介して挿通する回転ガイドネジ２１ａによって、該ガイド溝２１ｃの湾曲形状に沿って、固定ベース１９上をスムーズに回転動作を行う。
【００４１】
また、固定ベース１９に回転ベース２１を取り付ける際に、該固定ベース１９に設けられた係止ピン１９ｂが、該回転ベース２１に順次配設された複数の係止凹部２１ｅの何れか一箇所に係止する。図７（ｃ）に示すように、回転ベース２１は、弾性バネ１９ｃによって支持された係止ピン１９ｂが複数の係止凹部２１ｅに段階的に係止されることによって回転ベース２１の回転動作を間欠的に停止することが可能となる。このような構成により、回転ベース２１は、湾曲形状のガイド溝２１ｃに沿ってスムーズに回転動作を行うと共に、回転ベース２１の回転角度を段階的に調整して、表示装置本体１３ａを所望の方向に向けることが可能となる。
【００４２】
回転ベース２１の回転調整部２１ｄには、回転角度をわかりやすく示すために、順次配設した複数の係止凹部２１ｅ毎に回転角度を示す目盛りを備えている。また、所望の方向に向け、その方向で表示装置本体１３ａを固定したい場合は回転固定ネジ２１ｂにて回転ベース２１を固定ベース１９にねじ止めして固定することができる。
【００４３】
スライドベース２３は、前記表示装置本体１３ａが取付固定され、且つ、前記回転ベース２１に対して前後方向にスライド可動可能にするものであり、直線形状に開口するガイド溝２３ｂ（図中３箇所）と、表示装置本体１３ａに嵌合する嵌合片２３ｅと、
前記表示装置本体１３ａに形成された固定片１３ｄと係止する係止部２３ｄ（図中２箇所）と、表示装置本体１３ａを装置固定ベース１７に設置する際に、前記固定片１３ｄを前記係止部２３ｄへ導くガイド壁２３ｃ（図中２箇所）と、前記スライドベース２３の左右両側に備えたピン受部２３ｈに軸支され、回転ベース２１の位置調整部２１ｆの何れかひとつの円形穴に嵌合する、弾性バネ２３ｇによって支持された係止ピン２３ｆと、で構成されている。
【００４４】
図６に示すように、スライドベース２３は、固定ベース１９に取り付けた回転ベース２１の上方から重ねるように、スライドガイドネジ２３ａにて複数のガイド溝２３ｂを介して夫々挿通し、前記回転ベース２１に取り付ける。スライドベース２３は、ガイド溝２３ｂを介して挿通するスライドガイドネジ２３ａによって、該ガイド溝２３ｂの直線形状に沿って、回転ベース２１上をスムーズにスライド可動を行う。
【００４５】
弾性バネ２３ｇによって支持された係止ピン２３ｆは、前記スライドベース２３を回転ベース２１に取り付けた後に、回転ベース２１の左右両側に形成された位置調整部２１ｆの外方より、該位置調整部２１ｆの円形穴を介して弾性バネ２３ｇと共に挿通し、ピン受部２３ｈに軸支される。係止ピン２３ｆは、円柱形状で、且つ、溝が形成されており、該係止ピン２３ｆの円周は位置調整部２１ｆの円形穴の円周と略同等であり、該係止ピン２３ｆに形成された溝の円周は、円形穴が連なった隙間よりも小さい。
【００４６】
よって、図８（ｃ）に示すように、通常時においては、係止ピン２３ｆの円周が位置調整部２１ｆの円周と略同等であるため、該位置調整部２１ｆの何れかひとつの円形穴に嵌合し、スライドベース２３は回転ベース２１に対してスライド可動することができず、ロックされた状態となる。また、図８（ｄ）に示すように、スライドベース２３の左右両側に備えた係止ピン２３ｆを同時に押し込むと、該係止ピン２３ｆと位置調整部２１ｆの円形穴との嵌合が外れ、該係止ピン２３ｆに形成された溝の円周は、円形穴が連なった隙間よりも小さいため、位置調整部２１ｆ内を図中矢印方向にスライド可動可能である。位置調整部２１ｆは、複数の円形穴が連なって状態で開口しており、任意の位置の円形穴に係止ピン２３ｆを嵌合することで、表示装置本体１３ａの前後方向におけるスライド量を段階的に調整することができる。
【００４７】
固定ベース１９と、回転ベース２１と、スライドベース２３と、から構成される装置固定ベース１７は、図７（ａ）、（ｂ）に示すように、前記回転ベース２１によって、床面に固定設置した固定ベース１９に対して回転方向に回転可動可能であり、併せて、図８（ａ）、（ｂ）に示すように、前記スライドベース２３によって、前記回転ベース２１に対して前後方向にスライド可動可能である。また、スライドベース２３は、回転ベース２１の上方から重ねるように、該回転ベース２１に取り付けられているため、回転可動を行うと共に、スライド可動も同時に行うことが可能である。
【００４８】
前述する構成により、該スライドベース２３に取付固定する表示装置本体１３ａを回転方向、及び前後方向に可動させることが可能となり、遊技用椅子５の脚部５ａ近傍に設けた遊技情報表示装置１３の設置位置を可変することができる。
【００４９】
よって、遊技島１にて複数の遊技用椅子５に夫々設けた遊技情報表示装置１３の設置位置を、該遊技島１の演出状況に合わせて夫々設置位置の可変を行うことで、遊技島１の演出におけるレイアウト（配置）に特徴を持たせ、且つ、遊技情報表示装置１３の照明部１３ｂの発光表示が、隣り合う遊技情報表示装置１３同士で重なること無く配置することができる。
【００５０】
例えば、複数の遊技用椅子５に夫々設けた表示装置本体１３ａの何れか数台を、イベント台等の遊技に関する遊技情報を表示するといった遊技島１の演出状況において、該当する何れか数台の設置位置を回転方向、及び前後方向に可変させて、隣り合う遊技情報表示装置１３同士の設置位置を相違させる。
【００５１】
該当する遊技情報表示装置１３の設置位置を可変させる前は、遊技客が遊技島側を見る位置（例えば、遊技島１端、通路側など）により、隣り合う遊技情報表示装置１３同士の発光表示が重なってしまい、どの遊技台３の情報かが視認、把握しにくい状態であったが、該当する何れか数台の設置位置を可変させ、隣り合う遊技情報表示装置１３同士の設置位置を相違させることで、夫々設置位置にズレ、段差、回転等といった相違点が生じ、隣設する遊技情報表示装置１３との設置位置の違いが明確となって視認、把握しやすくなり、遊技店内にいる遊技客に対してわかりやすくアピールすると共に、遊技客にとってはどの遊技台３の遊技情報であるかを視認、把握しやすい。
【００５２】
また、遊技情報表示装置１３は、大当り、エラー等の、遊技において発生する遊技情報も表示するので、隣り合う遊技情報表示装置１３同士の設置位置が相違しているため、遊技店店員にとっても、どの遊技台３が、大当り状態、エラー状態等であるかがを即座に視認、把握が可能であり、該遊技店店員はその内容に併せて、遊技客に対しサービス、エラー解除といった対処を即座に行うことができる。
【００５３】
また、回転ベース、及びスライドベースは、回転方向、及び前後方向への可動範囲を段階的に調整可能であるため、可動させる範囲が明確となることで、一の遊技島の演出状況において、可変させた遊技情報表示装置の設置位置を、他の遊技島においても同様のレイアウトで演出構成が容易に行え、遊技店内で統一感のある演出を行うことが可能となる。例えば、複数の遊技用椅子５に夫々設けた遊技情報表示装置１３を、遊技島１の一端側から他端側へむけて徐々に通路側へ迫り出すように可動範囲を調整して配置することができる。
【００５４】
また、図３（ａ）、及び図５に示すように、表示装置本体１３ａの両側には、押下可能な可動ボタン１３ｅを備えており、該表示装置本体１３ａを装置固定ベース１７に取付固定した際に、スライドベース２３に備えた係止ピン２３ｆと同位置で、可動ボタン１３ｅを押下することで、併せて係止ピン２３ｆを押し込むことが可能であり、該表示装置本体１３ａを装置固定ベース１７に取付固定した状態であっても、前後方向にスライド可動可能である。また、回転固定ネジ２１ｂを固着しなければ、回転ベース２１が回転可能であることから、該表示装置本体１３ａを装置固定ベース１７に取付固定した状態であっても回転方向に可動可能である。
【００５５】
また、遊技島１の演出状況として、前述した配置とは別に、複数の遊技用椅子５に夫々設けた遊技情報表示装置１３の設置位置を、隣り合う遊技情報表示装置１３同士で揃えたい演出状況もある。表示装置本体１３ａの装置固定ベース１７は、脚部５ａの根もと近傍の床面に固定設置するために、該脚部５ａの位置を基準として、冶具等用いて人為的に固定設置を行うため、隣設する遊技情報表示装置１３同士の設置位置が横方向直線的ではなく、稀にズレてしまう。その際は回転ベース２１、及びスライドベース２３にて回転方向、及び前後方向へ可動を行って段階的に設置位置を調整することで、隣設する遊技情報表示装置１３同士の設置位置を横方向直線的に揃えることもできる。
【００５６】
本実施例において、遊技媒体としてパチンコ玉を使用したシステムに設置される遊技情報表示装置１３としたが、他の遊技媒体（コイン、メダル等）を使用したシステムにおいても設置可能である。
【符号の説明】
【００５７】
１      遊技島
３      遊技台
３ｂ    下皿
５      遊技用椅子
５ａ    脚部
７      玉貸機
９      出玉計数装置
９ａ    玉受皿
１３    遊技情報表示装置
１３ａ  表示装置本体
１３ｂ  照明部
１７    装置固定ベース
１９    固定ベース
２１    回転ベース
２３    スライドベース
【図１】
2012075494.tif 000003
【図２】
2012075494.tif 000004
【図３】
2012075494.tif 000005
【図５】
2012075494.tif 000006
【図６】
2012075494.tif 000007
【図７】
2012075494.tif 000008
【図８】
2012075494.tif 000009
【図４】
2012075494.tif 000010